(57)【要約】【課題】流体動圧軸受及びそれを採用したハードディスクドライブを提供する。【解決手段】回転軸をその半径方向に支持するジャーナル軸受部と、回転軸の端部に形成されたスラスト部と、このスラスト部に対向して配置されて、回転軸をその長手方向に支持するスラスト軸受部と、スラスト軸受部及び／またはスラスト部に形成された複数のグルーブと、を備えるものであって、複数のグルーブは、相互に同じ形状及び配置を有する複数のグルーブからなる第１グループ群と、第１グループ群と隣接して配置されるものであって、第１グループ群をなすグルーブと非対称な構造を有する少なくとも一つのグルーブからなる第２グルーブ群と、を含むことを特徴とする流体動圧軸受。【選択図】図４
2006132770.tif 000002
【特許請求の範囲】
【請求項１】
回転軸をその半径方向に支持するジャーナル軸受部と、
前記回転軸の端部に形成されたスラスト部と、前記スラスト部と対向して配置されて、前記回転軸をその長手方向に支持するスラスト軸受部と、前記スラスト部及び／または前記軸受部に形成された複数のグルーブと、を備えた流体動圧軸受において、
前記複数のグルーブは、
相互に同じ形状及び配置を有する複数のグルーブからなる第１グルーブ群と、
前記第１グルーブ群と隣接して配置されるものであって、前記第１グルーブ群をなすグルーブと非対称な構造を有する少なくとも一つのグルーブからなる第２グルーブ群と、を含むことを特徴とする流体動圧軸受。
【請求項２】
前記第２グルーブ群は、相異なる幅を有する複数のグルーブを含むことを特徴とする請求項１に記載の流体動圧軸受。
【請求項３】
前記第２グルーブ群をなす複数のグルーブのうち、前記第２グルーブの中心に位置したグルーブの幅が前記第１グルーブ群と隣接した部分に位置したグルーブの幅より相対的に大きいことを特徴とする請求項２に記載の流体動圧軸受。
【請求項４】
前記第２グルーブ群は、相互に同じサイズ、形状及び配置を有する複数のグルーブを含むことを特徴とする請求項１に記載の流体動圧軸受。
【請求項５】
前記スラスト軸受部の外周接線と前記第１グルーブ群をなすグルーブから延びた線分との挟角をα１とし、前記スラスト軸受部の外周接線と前記第２グルーブ群をなすグルーブから延びた線分との挟角をα２とするとき、下記の条件式１を満足することを特徴とする請求項１に記載の流体動圧軸受。
α２＜α１  （条件式１）
【請求項６】
前記第２グルーブ群は、内部に突設されたサブリッジを有する少なくとも一つのグルーブを含むことを特徴とする請求項１に記載の流体動圧軸受。
【請求項７】
前記第２グルーブ群は、相互に離隔配置された複数のグルーブを含むものであって、
前記第２グルーブのグルーブの間には、各グルーブを区分するリッジが設けられ、前記リッジ内には、形成されたサブグルーブが形成されたことを特徴とする請求項６に記載の流体動圧軸受。
【請求項８】
前記スラスト軸受部の複数のグルーブそれぞれは、
スパイラルパターンを有することを特徴とする請求項１ないし７のうち何れか１項に記載の流体動圧軸受。
【請求項９】
前記スラスト軸受部の複数のグルーブそれぞれは、
へリングボーンパターンを有することを特徴とする請求項１ないし７のうち何れか１項に記載の流体動圧軸受。
【請求項１０】
情報が記録される一記録面を有するハードディスクと、
前記ハードディスクの回転軸を回転自在に支持するものであって、前記回転軸を半径方向に支持するジャーナル軸受部と、前記回転軸の端部に形成されたスラスト部と、前記スラスト部と対向して配置されて前記回転軸をその長手方向に支持するスラスト軸受部と、前記スラスト軸受部及び／または前記スラスト部に形成された複数のグルーブとを備えた流体動圧軸受と、
前記ハードディスクに回転力を提供する駆動源と、
前記ハードディスクの記録面上で走行されつつ、情報の記録/再生を行うヘッドと、を備えるハードディスクドライブにおいて、
前記複数のグルーブは、
相互に同じ形状及び配置を有する複数のグルーブからなる第１グルーブ群と、
前記ヘッドによって負荷がかかる前記ハードディスクの所定部分に対応する位置に配置されるものであって、前記第１グルーブ群をなすグルーブと非対称な構造を有する少なくとも一つのグルーブからなる第２グルーブ群と、を含むことを特徴とするハードディスクドライブ。
【請求項１１】
前記第２グルーブ群は、相異なる幅を有する複数のグルーブを含むことを特徴とする請求項１０に記載のハードディスクドライブ。
【請求項１２】
前記第２グルーブ群をなす複数のグルーブのうち、前記第２グルーブの中心に位置したグルーブの幅が前記第１グルーブ群と隣接した部分に位置したグルーブの幅より相対的に広いことを特徴とする請求項１０に記載のハードディスクドライブ。
【請求項１３】
前記第２グルーブ群は、相互に同じサイズ、形状及び配置を有する複数のグルーブを含むことを特徴とする請求項１０に記載のハードディスクドライブ。
【請求項１４】
前記スラスト軸受部の外周接線と前記第１グルーブ群をなすグルーブから延びた線分との挟角をα１とし、前記スラスト軸受部の外周接線と前記第２グルーブ群をなすグルーブから延びた線分との挟角をα２とするとき、下記の条件式２を満足することを特徴とする請求項１０に記載のハードディスクドライブ。
α２＜α１  （条件式２）
【請求項１５】
前記第２グルーブ群は、内部に突設されたサブリッジを有する少なくとも一つのグルーブを含むことを特徴とする請求項１０に記載のハードディスクドライブ。
【請求項１６】
前記第２グルーブ群は、相互に離隔配置された複数のグルーブを含むものであって、
前記第２グルーブのグルーブの間には、各グルーブを区分するリッジが設けられ、前記リッジ内には、形成されたサブグルーブが形成されたことを特徴とする請求項１５に記載のハードディスクドライブ。
【請求項１７】
前記スラスト軸受部の複数のグルーブそれぞれは、
スパイラルパターンを有することを特徴とする請求項１０ないし１６のうち何れか１項に記載のハードディスクドライブ。
【請求項１８】
前記スラスト軸受部の複数のグルーブそれぞれは、
へリングボーンパターンを有することを特徴とする請求項１０ないし１６のうち何れか１項に記載のハードディスクドライブ。
【発明の詳細な説明】
【技術分野】
【０００１】
本発明は、回転体を支持する流体動圧軸受及びそれを採用したハードディスクドライブに係り、さらに詳細には、不均一な力が作用する回転体を安定的に支持できる構造の流体動圧軸受及びそれを採用したハードディスクドライブに関する。
【背景技術】
【０００２】
情報記憶装置のうち一つであるハードディスクドライブ（ＨＤＤ：Ｈａｒｄ Ｄｉｓｋ Ｄｒｉｖｅ）は、記録／再生ヘッドを使用してディスクに／からデータを記録／再生する装置である。このようなＨＤＤにおいて、前記ヘッドは、回転するディスクの記録面から所定高さに浮き上がった状態で、アクチュエータによって所望の位置に移動しつつ、その機能を行う。
【０００３】
このＨＤＤは、産業の発展と共に、多様な形態の電子機器、例えば、携帯電話、ＭＰ３プレイヤ、ゲーム機などに採用されつつある。このために、前記ＨＤＤは、小型化及びスリム化が要求される。
【０００４】
ＨＤＤのスリム化のために、一面に記録面が形成されたハードディスクを一枚含み、その記録面に対向してシングルヘッドを設けた構造のシングルヘッドタイプのＨＤＤが開示されたものがある。
【０００５】
図１は、一般的なシングルヘッドタイプのＨＤＤの要部を示す概略的な断面図であり、図２は、図１のスラスト軸受部を示す底面図であり、図３は、図２のＩＩＩ−ＩＩＩ線の断面図である。
【０００６】
図面を参照すれば、ＨＤＤは、流体動圧軸受１０と、この流体動圧軸受１０に回転自在に設置された回転軸２０と、前記回転軸２０に設置され、一記録面３１を有するハードディスク３０と、前記ハードディスク３０に回転力を提供する駆動源４０と、前記ハードディスク３０に対して情報の記録/再生を行うヘッド５０と、を備える。
【０００７】
前記回転軸２０は、ロータハウジング２５を通じて前記ハードディスク３０の回転中心に結合されるものであって、前記流体動圧軸受１０との相互作用によって軸方向支持されるジャーナル部２１と、軸の長手方向に支持されるスラスト部２３と、を有する。
【０００８】
前記流体動圧軸受１０は、前記回転軸２０が回転自在に挿入される中空１０ａを有するものであって、前記ジャーナル部２１の周辺を覆い包むように形成されたジャーナル軸受部１１と、前記スラスト部２３に対向して形成されたものであって、前記回転軸２０をその長手方向に支持するスラスト軸受部１５と、を備える。
【０００９】
図２及び図３を参照すれば、前記スラスト軸受部１５は、環状を有するものであって、前記スラスト部（図１の２３）と対向する面に形成された複数のグルーブ１７を備える。この複数のグルーブ１７は、図示したように、スパイラルパターンを有するものであって、相互に同じ形状及び配置の対称的な構造を有する。すなわち、スラスト軸受部１５の外周接線１５ａとグルーブ１７から延びた線分１７ａとの挟角をグルーブ角θＧとするとき、全てのグルーブ１７が同じグルーブ角θＧを有する。また、図２のＩＩＩ−ＩＩＩ線に沿って切断した断面図を参照すれば、全てのグルーブ１７は、同じグルーブ幅ｄｇを有し、隣接したグルーブ１７間のリッジ１９も、同じ幅ｄｒを有する。したがって、前記ハードディスク３０の回転中心に回転軸２０が位置され、前記ハードディスク３０に均一な負荷がかかる場合において、前記回転軸２０をその長手方向に、矢印６３ａ及び６３ｂで表示されたように、同じ力で支持するので、安定的に支持しうる。
【００１０】
前記駆動源４０は、前記ロータハウジング２５の内側に設けられたマグネット４１と、前記流体動圧軸受１０の外周にわたって形成されたステータコア４５と、を備えるものであって、前記ステータコア４５に電流を印加することによって形成された電磁気力によって前記ハードディスク３０を回転駆動させる。
【００１１】
前記ヘッド５０は、サスペンション５５の端部に設置されたスライダに設けられるものであって、アクチュエータ（図示せず）によって、前記記録面３１上の所定領域上で往復走行しつつ、前記記録面３１に対して情報の記録／再生を行う。前記スライダは、前記ハードディスク３０の回転駆動時に浮き上がり、前記サスペンション５５に加えられる負荷６１によって、前記ヘッド５０は、一定の高さＨを維持する。このとき、前記ヘッド５０の浮上力の反作用力６２によって、前記ハードディスク３０は、ヘッド５０の浮上方向と逆方向に力を受ける。
【００１２】
したがって、図示したように、ＨＤＤの小型化のためにシングルヘッドを採用しようとする場合、前記ヘッド５０とハードディスク３０との間に作用する反作用力６２によって、ハードディスク３０にアンバランスな力が作用する。一方、前述したように、対称形構造でスラスト軸受部１５を構成した場合、前記ハードディスク３０に作用するアンバランスな力の影響で、図１の点線で示したように、ハードディスク３０と回転軸２０とが傾いた状態で不安定に回動する。これにより、情報の記録／再生を妨害し、ノイズが発生するという問題点がある。
【発明の開示】
【発明が解決しようとする課題】
【００１３】
本発明は、前記問題点を勘案して案出されたものであって、回転体に不均一な力が作用する状況下で、回転体を安定的に支持できるように、スラスト軸受部の構造が改善された流体動圧軸受を提供することを目的とする。
【００１４】
また、本発明は、シングルヘッドによって加えられる反作用力を補償して、ハードディスクが安定的に回転できる構造のシングルヘッドタイプのＨＤＤを提供することを他の目的とする。
【課題を解決するための手段】
【００１５】
前記目的を達成するために、本発明は、回転軸をその半径方向に支持するジャーナル軸受部と、前記回転軸の端部に形成されたスラスト部と、前記スラスト部と対向して配置されて、前記回転軸をその長手方向に支持するスラスト軸受部と、前記スラスト部及び／または前記軸受部に形成された複数のグルーブと、を備えた流体動圧軸受において、前記複数のグルーブは、相互に同じ形状及び配置を有する複数のグルーブからなる第１グルーブ群と、前記第１グルーブ群と隣接して配置されるものであって、前記第１グルーブ群をなすグルーブと非対称な構造を有する少なくとも一つのグルーブからなる第２グルーブ群と、を含むことを特徴とする。
【００１６】
また、前記他の目的を達成するために、本発明は、情報が記録される一記録面を有するハードディスクと、前記ハードディスクの回転軸を回転自在に支持するものであって、前記回転軸を半径方向に支持するジャーナル軸受部と、前記回転軸の端部に形成されたスラスト部と、前記スラスト部と対向して配置されて、前記回転軸をその長手方向に支持するスラスト軸受部と、前記スラスト部及び／または前記軸受部に形成された複数のグルーブとを備えた流体動圧軸受と、前記ハードディスクに回転力を提供する駆動源と、前記ハードディスクの記録面上で走行しつつ、情報の記録／再生を行うヘッドと、を備えるＨＤＤにおいて、前記複数のグルーブは、相互に同じ形状及び配置を有する複数のグルーブからなる第１グルーブ群と、前記ヘッドによって負荷がかかる前記ハードディスクの所定部分に対応する位置に配置されるものであって、前記第１グルーブ群をなすグルーブと非対称な構造を有する少なくとも一つのグルーブからなる第２グルーブ群と、を含むことを特徴とする。
【発明の効果】
【００１７】
本発明による流体動圧軸受は、スラスト軸受部をなすグルーブを非対称構造で形成することによって、不均一な力が作用する状況下で回転される回転体を支持しようとする場合、回転体に作用する不均一な力を補償できる。したがって、回転体が安定的に回転されるように支持しうる。
【００１８】
また、本発明によるＨＤＤは、シングルヘッドによって加えられる反作用力を勘案して、その対応位置に非対称構造の第２グルーブ群を配置することによって、回転駆動時、反作用力によるハードディスクの傾斜を補償できる。したがって、ハードディスクを安定的に回転させて、回転時、アンバランスによって発生するノイズを根本的に防止しうる。
【発明を実施するための最良の形態】
【００１９】
以下、添付した図面を参照して本発明をさらに詳細に説明する。
【００２０】
図４を参照すれば、本発明の実施形態による流体動圧軸受１１０は、回転軸１２０が回転自在に挿入される中空を有するものであって、ジャーナル軸受部１１１とスラスト軸受部１１５とを備える。前記ジャーナル軸受部１１１は、前記回転軸１２０の外周に形成されたジャーナル部１２１と対向して配置されるものであって、前記回転軸１２０をその半径方向に支持する。前記スラスト軸受部１１５は、前記回転軸１２０の端部に形成されたスラスト部１２３と対向して配置され、前記回転軸１２０をその長手方向に支持する。このために、前記スラスト軸受部１１５及び／または前記スラスト部１２３は、相互に対向する面に形成された複数のグルーブ２１０を備える。
【００２１】
本実施形態による流体動圧軸受１１０は、前記スラスト軸受部１１５に形成されたグルーブ２１０の構造を変更して、前記回転軸１２０によって回転支持される回転体（図示せず）に局部的な力が加えられる場合にも、回転体を均一に支持できる。
【００２２】
図５及び図６を参照すれば、前記スラスト軸受部１１５のグルーブ２１０は、スパイラルパターンを有するものであって、対称的な配置構造を有する第１グルーブ群２１０Ａと、非対称構造を有する第２グルーブ群２１０Ｂとに区分される。
【００２３】
前記第１グルーブ群２１０Ａは、相互に同じ形状及び配置で形成された複数のグルーブ２１１からなっており、環状のスラスト軸受部１１５の半分以上を占有する。ここで、グルーブ２１１の間には、同じ規格のリッジ２１３が形成されている。
【００２４】
前記第２グルーブ群２１０Ｂは、前記第１グルーブ群２１０Ａをなすグルーブ２１１と非対称な構造を有する少なくとも一つのグルーブ２１５からなる。図５及び６は、前記第２グルーブ群２１０Ｂが７個のグルーブ２１５からなるものを例として表したものである。このとき、前記第２グルーブ群２１０Ｂを構成する複数のグルーブ２１５は、その配置位置によってその幅が可変される構造を有する。
【００２５】
さらに望ましくは、前記第２グルーブ群２１０Ｂをなす複数のグルーブ２１５のうち、前記第２グルーブ２１０Ｂの中心に位置したグルーブの幅が前記第１グルーブ群２１０Ａと隣接した部分に位置したグルーブの幅より相対的に小さく形成されている。
【００２６】
このように、第２グルーブ群２１０Ｂを形成した場合、前記回転軸１２０の回転時、前記回転軸１２０のスラスト部１２３と前記スラスト軸受部１１５との間に発生する流体動圧力を参照すれば、次の通りである。
【００２７】
図７は、図６のスラスト軸受部を８分割して表した図面であって、セクション８に第２グルーブ群２１０Ｂが主に形成されている。この場合、セクション８及びそれ以外のセクションにおいて、剛性係数とダンピング係数とを分析して、表１のような結果を得た。
【００２８】
【表１】
2006132770.tif 000003
【００２９】
表１を参照すれば、第２グルーブ群２１０Ｂが主に位置したセクション８で剛性係数が最も大きく、ダンピング係数が最も小さいということが分かる。これにより、第１グルーブ群２１０Ａより第２グルーブ群２１０Ｂでさらに大きい流体動圧力が発生することが分かる。
【００３０】
したがって、前記回転軸１２０によって支持される回転体に不均一な負荷がかかる場合、負荷が多くかかる部分に対向するように前記第２グルーブ群２１０Ｂの幅が最も狭いグルーブを配置させることによって、回転体の回動時、アンバランスを補償できる。
【００３１】
図８及び図９を参照すれば、本発明の第２実施形態による流体動圧軸受のスラスト軸受部１１５のグルーブは、スパイラルパターンを有するものであって、第１及び第２グルーブ群２２０Ａ，２２０Ｂに区分される。
【００３２】
前記第１グルーブ群２２０Ａは、相互に同じ形状及び配置で形成された複数のグルーブ２２１からなっており、環状のスラスト軸受部１１５の半分以上を占有する。ここで、グルーブ２２１の間には、同じ規格のリッジ２２３が形成されている。
【００３３】
前記第２グルーブ群２２０Ｂは、前記第１グルーブ群２２０Ａをなすグルーブ２２１と非対称な構造を有する少なくとも一つのグルーブ２２５からなる。図８及び９は、前記第２グルーブ群２２０Ｂが６個のグルーブ２２５からなるものを例として表したものである。このとき、前記第２グルーブ群２２０Ｂを構成する複数のグルーブ２２５は、相互に同じサイズ、形状及び配置を有する。
【００３４】
さらに望ましくは、前記第２グルーブ群２２０Ｂをなすグルーブ２２５それぞれの幅は、前記第１グルーブ群２２０Ａをなすグルーブ２２１それぞれの幅に比べて、相対的に狭い幅を有する。
【００３５】
それと共に、前記第２グルーブ群２２０Ｂをなすグルーブ２２５の間に形成されたリッジ２２７の幅も、第１グルーブ群２２０Ａをなすリッジ２２３の幅より狭く形成されている。
【００３６】
このように、第２グルーブ群２２０Ｂを形成した場合、前記回転軸（図４の１２０）の回転時、前記回転軸１２０のスラスト部１２３と前記スラスト軸受部１１５との間に発生する流体動圧力を参照すれば、第１グルーブ群２２０Ａより第２グルーブ群２２０Ｂでさらに大きい流体動圧力が発生する。したがって、前記回転軸１２０によって支持される回転体に不均一な負荷がかかる場合、負荷が多くかかる部分に対向するように、前記第２グルーブ群２２０Ｂを配置させることによって、回転体の回動時、アンバランスを補償できる。
【００３７】
図１０を参照すれば、本発明の第３実施形態による流体動圧軸受のスラスト軸受部１１５のグルーブは、スパイラルパターンを有するものであって、第１及び第２グルーブ群２３０Ａ，２３０Ｂに区分される。
【００３８】
前記第１グルーブ群２３０Ａは、相互に同じ形状及び配置で形成された複数のグルーブ２３１からなっており、環状のスラスト軸受部１１５の半分以上を占有する。ここで、グルーブ２３１の間には、同じ規格のリッジ２３３が形成されている。
【００３９】
前記第２グルーブ群２３０Ｂは、前記第１グルーブ群２３０Ａをなすグルーブ２３１のグルーブ角α１と異なるグルーブ角α２を有するグルーブ２３５からなる。ここで、グルーブ角α１は、前記スラスト軸受部１１５の外周接線１１５ａと前記第１グルーブ群２３０Ａをなすグルーブ２３１から延びた線分２３１ａとの挟角を表し、グルーブ角α２は、前記スラスト軸受部１１５の外周接線１１５ａと前記第２グルーブ群２３０Ｂをなすグルーブ２３５から延びた線分２３５ａとの挟角を表す。ここで、グルーブ角α１がグルーブ角α２より大きいことが望ましい。図面は、グルーブ角α１が３５°であり、グルーブ角α２が２０°であることを例として示した。
【００４０】
このように、第１及び第２グルーブ群２３０Ａ，２３０Ｂを形成した場合、第２グルーブ群２３０Ｂを構成するグルーブ２３５の傾斜度が前記第１グルーブ群２３０Ａを構成するグルーブ２３１の傾斜度に比べて大きい。したがって、前記回転軸（図４の１２０）の回転時、前記回転軸１２０のスラスト部１２３と前記スラスト軸受部１１５との間に発生する流体動圧力を参照すれば、第１グルーブ群２３０より第２グルーブ群２３０Ｂでさらに大きい流体動圧力が発生する。したがって、前記回転軸１２０によって支持される回転体に不均一な負荷がかかる場合、回転体の回動時、アンバランスを補償できる。
【００４１】
図１１を参照すれば、本発明の第４実施形態による流体動圧軸受のスラスト軸受部１１５のグルーブは、スパイラルパターンを有するものであって、第１及び第２グルーブ群２４０Ａ，２４０Ｂに区分される。
【００４２】
前記第１グルーブ群２４０Ａは、相互に同じ形状及び配置で形成された複数のグルーブ２４１からなっている。ここで、グルーブ２４１の間には、同じ規格のリッジ２４３が形成されている。
【００４３】
前記第２グルーブ群２４０Ｂは、前記第１グルーブ群２４０Ａに隣接配置されるものであって、内部に突設されたサブリッジ２４６を有する少なくとも一つのグルーブ２４５を備える。図１０は、内部にサブリッジ２４６がそれぞれ形成された２個のグルーブ２４５からなる第２グルーブ群２４０Ｂを示す図面である。
【００４４】
ここで、前記第２グルーブ群２４０Ｂをなす２個のグルーブ２４５の間には、各グルーブ２４５を区分するリッジ２４７が設けられており、前記リッジ２４８内には、形成されたサブグルーブ２４８が形成されている。
【００４５】
このように、第１及び第２グルーブ群２４０Ａ，２４０Ｂを形成した場合、第２グルーブ群２４０Ｂに設けられたサブリッジ２４６及びサブグルーブ２４８によってグルーブパターンが狭く形成される効果を有する。したがって、前記回転軸（図４の１２０）の回転時、前記回転軸１２０のスラスト部１２３と前記スラスト軸受部１１５との間に発生する流体動圧力を参照すれば、第１グルーブ群２４０Ａより第２グルーブ群２４０Ｂでさらに大きい流体動圧力が発生する。
【００４６】
図１２を参照すれば、本発明の第５実施形態によるスラスト軸受部１１５のグルーブは、図示したように、‘Ｖ’字状のへリングボーンパターンを有するものであって、第１及び第２グルーブ群２５０Ａ，２５０Ｂに区分される。
【００４７】
前記第１グルーブ群２５０Ａは、相互に同じ形状及び配置で形成された複数のグルーブ２５１からなっており、このグルーブ２５１の間には、同じ規格のリッジ２５３が形成されている。
【００４８】
前記第２グルーブ群２５０Ｂは、前記第１グルーブ群２５０Ａをなすグルーブ２５１と非対称な構造を有する少なくとも一つのグルーブ２５５からなる。図１２は、前記第２グルーブ群２５０Ｂが４個のグルーブ２５５からなることを例として示す図面である。
【００４９】
このように、第２グループ群２５０Ｂを形成した場合、第１グループ群２５０Ａより第２グループ群２５０Ｂでさらに大きい流体動圧力が発生する。したがって、前記回転軸（図４の１２０）によって支持される回転体に不均一な負荷がかかる場合、負荷が多くかかる部分に対向するように、前記第２グループ群２５０Ｂを配置させることによって、回転体の回動時、アンバランスを補償できる。
【００５０】
また、へリングボーンパターンでグルーブを形成する場合において、図１２に示したような構成以外にも、本発明の第１、第３及び第４実施形態によるグルーブに対して、スパイラルパターンの代わりに、へリングボーンパターンに代替する構成を有しうる。
【００５１】
図１３は、本発明の実施形態によるシングルヘッドタイプのＨＤＤを示す概略的な断面図である。
【００５２】
図面を参照すれば、本発明の実施形態によるＨＤＤは、情報が記録される一記録面３３１を有するハードディスク３３０と、流体動圧軸受３１０と、この流体動圧軸受３１０に回転自在に設置され、前記ハードディスク３３０の回転中心に結合された回転軸３２０と、前記ハードディスク３３０に回転力を提供する駆動源３４０と、前記ハードディスク３３０に対して情報の記録/再生を行うヘッド３５０と、を備える。
【００５３】
前記回転軸３２０は、ロータハウジング３２５を通じて前記ハードディスク３３０の回転中心に結合されるものであって、前記流体動圧軸受３１０との相互作用によって軸方向に支持されるジャーナル部３２１と、軸の長手方向に支持されるスラスト部３２３と、を有する。
【００５４】
前記流体動圧軸受３１０は、前記回転軸３２０が回転自在に挿入される中空を有するものであって、前記ジャーナル部３２１の周辺を覆い包むように形成されたジャーナル軸受部３１１と、前記スラスト部３２３に対向して形成されたものであって、前記回転軸３２０をその長手方向に支持する環状のスラスト軸受部３１５と、を備える。前記スラスト軸受部３１５及び／または前記スラスト部３２３は、相互に対向する面に形成された複数のグルーブ（図示せず）を含む。前記複数のグルーブは、スパイラルパターンまたはへリングボーンパターンを有するものであって、その配置及び形状によって、第１グループ群と第２グループ群とに区分される。前記第１グループ群は、相互に同じ形状及び配置を有する複数のグルーブからなる。前記第２グループ群は、前記ヘッド３５０によって加えられる力３６２によって負荷がかかる前記ハードディスク３３０の所定部分に対応する位置に配置されるものであって、前記第１グループ群をなすグルーブと非対称な構造を有する少なくとも一つのグルーブを含む。
【００５５】
ここで、前記第１及び２グループ群をなすグルーブの形態は、図５ないし図１１を参照して説明された本発明の実施形態による流体動圧軸受の第２グループ群と実質上同じであるので、ここで、その詳細な説明は省略する。
【００５６】
前記駆動源３４０は、前記ロータハウジング３２５の内側に設けられたマグネット３４１と、前記流体動圧軸受３１０の外周にわたって形成されたステータコア３４５と、を備えるものであって、前記ステータコア３４５に電流を印加することによって形成された電磁気力によって、前記ハードディスク３３０を回転駆動させる。
【００５７】
前記ヘッド３５０は、サスペンション３５５の端部に設置されたスライダに設けられるものであって、前記記録面３３１上の所定領域上で往復走行しつつ、前記記録面３３１に対して情報の記録／再生を行う。前記スライダは、前記ハードディスク３３０の回転駆動時に浮き上がり、前記サスペンション３５５に加えられる負荷３６１によって、前記ヘッド３５０は、一定の高さを維持する。このとき、前記ヘッド３５０の浮上力の反作用力３６２によって、前記ハードディスク３３０は、ヘッド３５０の浮上方向と逆方向に力を受ける。
【００５８】
したがって、図示したように、ＨＤＤの小型化のためにシングルヘッドを採用しようとする場合、前記ヘッド３５０とハードディスク３３０との間に作用する反作用力によってハードディスク３３０にアンバランスな力が作用する。一方、前述したように、第１及び第２グループ群を含むスラスト軸受部３１５を構成した場合、前記ハードディスク３３０に作用するアンバランスな力の影響を補償して、ハードディスク３３０と回転軸３２０とが均衡を維持したまま回動可能にしうる。
【００５９】
本発明は、図面に示された実施形態を参考として説明されたが、これは、例示的なものに過ぎず、当業者ならば、これから多様な変形及び均等な他の実施形態が可能であるということが分かる。したがって、本発明の真の技術的保護範囲は、特許請求の範囲の技術的思想によって決定されねばならない。
【産業上の利用可能性】
【００６０】
本発明は、多様な形態の電子機器、例えば、携帯電話、ＭＰ３プレイヤ、ゲーム機などに適用可能である。
【図面の簡単な説明】
【００６１】
【図１】一般的なシングルヘッドタイプのＨＤＤを示す概略的な断面図である。
【図２】従来の流体動圧軸受のスラスト軸受部を示す底面図である。
【図３】図２のＩＩＩ−ＩＩＩ線の断面図である。
【図４】本発明の実施形態による流体動圧軸受を示す部分断面図である。
【図５】本発明の第１実施形態による流体動圧軸受のスラスト軸受部を示す底面図である。
【図６】図５のＶＩ−ＶＩ線の断面図である。
【図７】本発明の実施形態による流体動圧軸受の剛性とダンピング係数との説明に利用されたスラスト軸受部を示す図面である。
【図８】本発明の第２実施形態による流体動圧軸受のスラスト軸受部を示す底面図である。
【図９】図８のＩＸ−ＩＸ線の断面図である。
【図１０】本発明の第３実施形態による流体動圧軸受のスラスト軸受部を示す底面図である。
【図１１】本発明の第４実施形態による流体動圧軸受のスラスト軸受部を示す底面図である。
【図１２】本発明の第５実施形態による流体動圧軸受のスラスト軸受部を示す底面図である。
【図１３】本発明の実施形態によるＨＤＤを示す概略的な断面図である。
【符号の説明】
【００６２】
１１０  流体動圧軸受
１１１  ジャーナル軸受部
１１５  スラスト軸受部
１２０  回転軸
１２１  ジャーナル部
１２３  スラスト部
２１０  グルーブ
【図１】
2006132770.tif 000004
【図２】
2006132770.tif 000005
【図３】
2006132770.tif 000006
【図４】
2006132770.tif 000007
【図５】
2006132770.tif 000008
【図６】
2006132770.tif 000009
【図７】
2006132770.tif 000010
【図８】
2006132770.tif 000011
【図９】
2006132770.tif 000012
【図１０】
2006132770.tif 000013
【図１１】
2006132770.tif 000014
【図１２】
2006132770.tif 000015
【図１３】
2006132770.tif 000016